(57)【要約】【課題】記録媒体に録画されている番組の管理が簡単に行え、その結果ユーザの使い勝手を向上させた録画装置を提供する。【解決手段】録画装置１の予約録画テーブル２１に登録されている予約録画情報には、この予約録画を行ったユーザの登録名が含まれている。また、録画装置１は、予約録画情報に基づいて番組をＤＶＤ１５に録画したとき、今回録画した番組に対して予約録画したユーザの登録名を含むタイトルを作成する。そして、このタイトルを、今回録画した番組のタイトルとしてＤＶＤ１５に記録する。したがって、ＤＶＤ１５に録画されている番組毎に、そのタイトルをみるだけで、誰が録画した番組であるかを確認することができる。これにより、ＤＶＤ１５に録画されている番組の管理にかかるユーザの手間を削減することができ、ユーザの使い勝手を向上させられる。【選択図】  図１
2007020075.tif 000002
【特許請求の範囲】
【請求項１】
番組の予約録画にかかる予約録画情報を記憶する予約録画情報記憶手段と、
前記予約録画情報記憶手段が記憶している前記予約録画情報に基づいて、番組を記録媒体に録画する予約録画手段と、を備えた録画装置において、
前記予約録画情報記憶手段が記憶している前記予約録画情報には、この番組を予約録画したユーザの登録名が含まれており、
前記予約録画手段が前記予約録画情報記憶手段に記憶している前記予約録画情報に基づいて番組を記録媒体に録画したとき、今回録画された番組を予約録画したユーザの登録名を含むタイトル情報を作成するタイトル情報作成手段と、
前記タイトル情報作成手段が作成したタイトル情報を、今回番組を録画した記録媒体の所定の記録領域に記録するタイトル情報記録手段と、
記録媒体の所定の記録領域に記録されている前記タイトル情報を読み取り、出力するタイトル情報出力手段と、
前記予約録画情報記憶手段が記憶する予約録画情報を出力する予約録画情報出力手段と、
ユーザによる装置本体の使用開始時に、該ユーザの登録名の入力を要求する登録名要求手段と、
ユーザ毎に登録名を記憶する登録名記憶手段と、を備え、
前記登録名要求手段は、前記登録名記憶手段に記憶している各ユーザの登録名を出力し、いずれかの登録名の選択を要求する手段である録画装置。
【請求項２】
番組の予約録画にかかる予約録画情報を記憶する予約録画情報記憶手段と、
前記予約録画情報記憶手段が記憶している前記予約録画情報に基づいて、番組を記録媒体に録画する予約録画手段と、を備えた録画装置において、
前記予約録画情報記憶手段が記憶している前記予約録画情報には、この番組を予約録画したユーザの登録名が含まれており、
前記予約録画手段が前記予約録画情報記憶手段に記憶している前記予約録画情報に基づいて番組を記録媒体に録画したとき、今回録画された番組を予約録画したユーザの登録名を含むタイトル情報を作成するタイトル情報作成手段と、
前記タイトル情報作成手段が作成したタイトル情報を、今回番組を録画した記録媒体の所定の記録領域に記録するタイトル情報記録手段と、
記録媒体の所定の記録領域に記録されている前記タイトル情報を読み取り、出力するタイトル情報出力手段と、を備えた録画装置。
【請求項３】
前記予約録画情報記憶手段が記憶する予約録画情報を出力する予約録画情報出力手段を備えた請求項２に記載の録画装置。
【請求項４】
ユーザによる装置本体の使用開始時に、該ユーザの登録名の入力を要求する登録名要求手段を備えた請求項２または３に記載の録画装置。
【請求項５】
ユーザ毎に登録名を記憶する登録名記憶手段を備え、
前記登録名要求手段は、前記登録名記憶手段に記憶している各ユーザの登録名を出力し、いずれかの登録名の選択を要求する手段である請求項４に記載の録画装置。
【発明の詳細な説明】
【技術分野】
【０００１】
この発明は、予約録画された番組をＤＶＤやＨＤ（ハードディスク）等の記録媒体に録画する録画装置に関する。
【背景技術】
【０００２】
従来、テレビ放送等による番組をＤＶＤやＨＤ等のランダムアクセス可能な記録媒体に録画する録画装置が一般に普及している。一般的な録画装置は、予約録画機能を有している。予約録画機能は、周知のように、ユーザにより入力された予約録画情報をメモリに記憶し、この予約録画情報に基づいて番組を録画する機能である。予約録画情報には、番組を録画する録画日（日付や曜日等）、録画開始時刻（放送開始時刻）、録画終了時刻（放送終了時刻）、放送チャンネル、録画する番組の画質等が含まれている。録画装置は、メモリに記憶しているいずれかの予約録画情報の録画開始日時（録画日の録画開始時刻）になると、この予約録画情報に含まれている放送チャンネルで放送されている番組の録画を開始し、この予約録画情報に含まれている録画終了時刻になると、この番組の録画を終了する機能である。
【０００３】
また、複数のユーザで共用するマルチユーザ環境での使用において、各ユーザの録画データに関する個人のプライバシーを保護する録画装置が提案されている（特許文献１参照）。この録画装置は、ユーザ毎にユーザ名とパスワードとユーザＩＤとを対応付けて記憶し、装置本体の使用開始時にパスワードの入力によるユーザの認証を行う構成である。この構成により、録画装置を使用しているユーザ、すなわち番組の予約録画を行ったユーザや、録画されている番組を再生を要求したユーザ等、を特定している。また、番組の録画処理では、録画した番組が他人に勝手に再生されるのを防止するために、録画を要求したユーザのユーザＩＤから生成した鍵を用いて、番組のデータを暗号化し記録媒体に録画している。
【特許文献１】特開２００２−１５７８２１号公報
【発明の開示】
【発明が解決しようとする課題】
【０００４】
しかしながら、従来の録画装置は、複数のユーザで共用するマルチユーザ環境で使用されている場合、ＤＶＤやＨＤ等の記録媒体に録画されている各番組について、誰が録画した番組であるかを確認するには、この録画装置を共用しているユーザ間で話し合って確認しなければならなかった。このように、記録媒体に録画されている番組毎に誰が録画した番組であるかを確認するのに手間がかかり、その結果、記録媒体に録画されている番組の管理が煩雑であるという問題があった。
【０００５】
なお、特許文献１に記載の録画装置は、各ユーザの録画データに関する個人のプライバシーを保護することを目的としていることから、録画装置を使用しているユーザに対して、このユーザ以外の予約録画情報や、録画済の番組にかかる情報等を、提示することを制限しているだけである。すなわち、特許文献１に記載されている録画装置においても、記録媒体に録画されている各番組について、誰が録画した番組であるかを確認するには、この録画装置を共用しているユーザ間で話し合って確認しなければならず、記録媒体に録画されている番組の管理が煩雑であるという上述の問題があった。
【０００６】
この発明の目的は、記録媒体に録画されている番組の管理が簡単に行え、その結果ユーザの使い勝手を向上させた録画装置を提供することにある。
【課題を解決するための手段】
【０００７】
この発明の録画装置は、上述の課題を解決するために以下の構成を備えている。
【０００８】
（１）番組の予約録画にかかる予約録画情報を記憶する予約録画情報記憶手段と、
前記予約録画情報記憶手段が記憶している前記予約録画情報に基づいて、番組を記録媒体に録画する予約録画手段と、を備えた録画装置において、
前記予約録画情報記憶手段が記憶している前記予約録画情報には、この番組を予約録画したユーザの登録名が含まれており、
前記予約録画手段が前記予約録画情報記憶手段に記憶している前記予約録画情報に基づいて番組を記録媒体に録画したとき、今回録画された番組を予約録画したユーザの登録名を含むタイトル情報を作成するタイトル情報作成手段と、
前記タイトル情報作成手段が作成したタイトル情報を、今回番組を録画した記録媒体の所定の記録領域に記録するタイトル情報記録手段と、
記録媒体の所定の記録領域に記録されている前記タイトル情報を読み取り、出力するタイトル情報出力手段と、を備えている。
【０００９】
この構成では、予約録画情報記憶手段が記憶する予約録画情報には、この予約録画情報を入力したユーザの登録名が含まれている。登録名は、ユーザの名前であってもよいし、ニックネーム等の通称であってもよい。また、録画手段が、予約録画情報に基づいて番組をＤＶＤやＨＤ（ハードディスク）等の記録媒体に録画したとき、タイトル情報作成手段が、今回録画した番組について、予約録画したユーザの登録名を含むタイトル情報を作成する。そして、タイトル情報記録手段がこのタイトル情報を今回番組を録画した記録媒体の所定の記録領域に記録する。この所定の記録領域は、記録媒体に録画されている各番組のタイトル情報を記録する領域（例えばＤＶＤであればリードイン領域のＴＯＣ、ＨＤ（ハードディスク）であればヘッダ領域）とするのが好ましい。
【００１０】
さらに、タイトル情報出力手段が、記録媒体の所定の記録領域に記録されている前記タイトル情報を読み取り、出力する。したがって、この出力されたタイトル情報を確認することで、この記録媒体に録画されている番組毎に、その番組を録画したユーザを確認することができる。すなわち、タイトル情報出力手段により出力されたタイトル情報から、記録媒体に録画されている番組毎に、その番組を録画したユーザを簡単に確認することができる。これにより、記録媒体に録画されている番組の管理にかかるユーザの手間を低減することができ、ユーザの使い勝手を向上させられる。
【００１１】
（２）前記予約録画情報記憶手段が記憶する予約録画情報を出力する予約録画情報出力手段を備えている。
【００１２】
この構成では、予約録画情報出力手段により、予約録画情報記憶手段が記憶する予約録画情報が出力される。したがって、すでに予約録画されている番組毎に、その番組を予約録画したユーザを確認することができる。このため、ユーザは、予約録画の件数が一杯で、新たな予約録画ができないときに、すでに予約録画しているユーザを確認し、その予約録画を中止してもらうように交渉することができる。
【００１３】
（３）ユーザによる装置本体の使用開始時に、該ユーザの登録名の入力を要求する登録名要求手段を備えている。
【００１４】
この構成では、登録名要求手段が、ユーザによる装置本体の使用開始時、例えば主電源がオンされた時、に登録名の入力を要求する構成としたので、装置本体を使用しているユーザを特定することができる。これにより、ユーザは、予約録画を行うときに、登録名を入力する必要がなく、従来の装置と同じ操作で予約録画が行える。
【００１５】
また、予約録画だけでなく、ユーザによる録画キーの操作により番組を記録媒体に録画したときも、その番組のタイトルにユーザの登録名を含ませることができる。
【００１６】
（４）ユーザ毎に登録名を記憶する登録名記憶手段を備え、
前記登録名要求手段は、前記登録名記憶手段に記憶している各ユーザの登録名を出力し、いずれかの登録名の選択を要求する手段である。
【００１７】
この構成では、登録名要求手段が、登録名記憶手段に記憶しているユーザ毎の登録名を出力し、いずれかの登録名の選択を要求するので、ユーザは出力された登録名の中から自分の登録名を選択するだけで登録名を入力することができる。したがって、登録名を入力する操作も煩雑にならず、ユーザの操作姓を低下させることもない。
【発明の効果】
【００１８】
この発明によれば、記録媒体に録画されている番組毎に、その番組を録画したユーザを簡単に確認することができる。したがって、記録媒体に録画されている番組の管理にかかるユーザの手間を低減することができ、ユーザの使い勝手を向上させられる。
【発明を実施するための最良の形態】
【００１９】
以下、この発明の実施形態である録画装置について説明する。
【００２０】
図１は、この発明の実施形態である録画装置の主要部の構成を示すブロック図である。この実施形態の録画装置１は、本体にセットされているＤＶＤ１５に対する番組の録画や、このＤＶＤ１５に録画されている番組の再生が行える、所謂ＤＶＤレコーダである。この実施形態の録画装置１は、装置本体の動作を制御する制御部２と、選択されているチャンネルで放送されている番組を受信する受信部３と、受信部３で受信している番組をＤＶＤ１５に記録する形式のデータに変換する記録データ処理部４と、記録データ処理部４で変換された番組のデータをＤＶＤ１５に記録したり、ＤＶＤ１５に記録されているデータを読み取る記録／読取部５と、記録／読取部５がＤＶＤ１５から読み取ったデータを処理する読取データ処理部６と、設定メニュー画面等、種々のＯＳＤ画像を生成するＯＳＤ画像生成部７と、画像信号を出力する画像信号出力部８と、音声信号を出力する音声信号出力部９と、ユーザによる装置本体への入力操作を受け付ける入力操作受付部１０と、を備えている。制御部２は、図１では１つのブロックで示しているが、実際にはＤＶＤ１５に対するデータの記録やＤＶＤ１５に記録されているデータの読み取り等にかかるフロントエンド側（ＦＥ側）の処理部を制御するＦＥ側制御部、および番組の画像や音声の出力等にかかるバックエンド側（ＢＥ側）の処理部を制御するＢＥ側制御部で構成される。ＦＥ側制御部とＢＥ側制御部とは、通信可能に接続された構成である。この実施形態では、ＦＥ側制御部、およびＢＥ側制御部を制御部２として説明する。
【００２１】
なお、現在、ＦＥ側制御部、およびＢＥ側制御部を１つのチップに搭載する技術の開発が進められている。この技術開発については、ここでは説明を省略する。
【００２２】
受信部３は、選択されているチャンネルに対応する周波数帯域の放送信号を抽出するチューナを有している。このチューナは、アナログ放送を受信するアナログ用のチューナであってもよいし、ディジタル放送を受信するディジタル用のチューナであってもよい。また、ディジタル用、およびアナログ用の両方のチューナを受信部３に設けてもよい。記録データ処理部４は、受信部３で抽出されたチャンネルで放送されている番組の映像、および音声をＤＶＤ１５に記録する形式のデータに変換する。例えば、番組の映像データ、および音声データをＭＰＥＧ２でエンコードする。記録データ処理部４は、ＤＶＤ１５に記録する形式に変換した番組のデータを記録／読取部５に入力する。記録／読取部５は、ＤＶＤ１５にレーザ光を照射してデータを記録したり、ＤＶＤ１５に照射したレーザ光の反射光を検出することで、このＤＶＤ１５に記録されているデータを読み取るピックアップヘッド（不図示）を有している。また、ピックアップヘッドからＤＶＤ１５に照射するレーザ光を、このＤＶＤ１５の記録面に集光させるフォーカスサーボ制御や、レーザ光をＤＶＤ１５におけるデータの記録／読取トラックの中心に照射させるトラッキングサーボ制御を行う公知のサーボ機構部を有している。記録／読取部５は、記録データ処理部４から入力された番組のデータに基づいてＤＶＤ１５に照射するレーザ光を制御し、この番組のデータをＤＶＤ１５に記録する。また、記録／読取部５は、記録されているデータの読取信号、所謂ＲＦ信号、を読取データ処理部６に入力する。ＲＦ信号は、レーザ光を照射したＤＶＤ１５からの反射光の検出信号をＲＦアンプ（不図示）で増幅した信号である。
【００２３】
読取データ処理部６は、記録／読取部５から入力されたＲＦ信号を処理する。具体的には、ＤＶＤ１５に記録されているエンコードされたデータ（画像データ、および音声データ）を取得する処理、およびこのエンコードされているデータをデコードする処理を行う。読取データ処理部６は、処理した画像データをＯＳＤ画像生成部７に入力し、処理した音声データを音声出力部９に入力する。ＯＳＤ画像生成部７は、ＯＳＤ画像メモリ（不図示）に記憶している設定メニュー画面等のＯＳＤ画像データを用いて、ＯＳＤ画像を生成する。ＯＳＤ画像生成部７は、生成したＯＳＤ画像を、読取データ処理部６から入力された画像データに基づく画像に重ね合わせた合成画像を生成する機能も有している。ＯＳＤ画像生成部７は、読取データ処理部６で処理された画像データに基づく画像、生成したＯＳＤ画像、またはＯＳＤ画像を読取データ処理部６から入力された画像データに基づく画像に重ね合わせた合成画像の画像データを画像出力部８に入力する。
【００２４】
画像出力部８は、ＯＳＤ画像生成部７から入力された画像データに基づく画像の画像信号を出力する。画像出力部８には、表示器１６が接続されている。画像出力部８は、接続されている表示器１６に応じた画像信号を出力する。表示器１６では、画像出力部８から入力された画像信号に基づく画像が表示される。また、音声出力部９は、読取データ処理部６から入力された音声データに基づく音声信号を出力する。音声出力部９には、スピーカ１７が接続されている。スピーカ１７では、音声出力部９から入力された音声信号に基づく音声が出力される。また、入力操作受付部１０は、装置本体に対する入力操作を行う複数の操作キー（不図示）や、図示していないリモコンから送信されてきた装置本体に対する制御コードを受信するリモコン受信部（不図示）を有している。入力操作受付部１０は、ユーザにより操作された操作キーに応じた制御コードや、リモコン受信部で受信した制御コードを制御部２に通知する、制御部２は、入力操作受付部１０から通知された制御コードに基づいて、装置本体各部の動作を制御する。
【００２５】
また、この実施形態の録画装置１は、装置本体を共用する各ユーザについて、その登録名を登録することができる。具体的には、図２に示すユーザ登録テーブル２０を制御部２のメモリ（不図示）に各ユーザの登録名が記憶される。このユーザ登録テーブルは、図２に示すように、ユーザ毎に登録名と、パスワードと、を対応付けたレコードが登録されたテーブルである。録画装置１は、このユーザ登録テーブル２０に対する新規ユーザの登録、および登録ユーザの削除も行える。
【００２６】
さらに、この実施形態の録画装置１は、装置本体に対して入力された番組の予約録画にかかる予約録画情報を登録した予約録画テーブル２１を制御部２のメモリに記憶する。図３は、この予約録画テーブルを示す図である。図３に示すように、予約録画テーブル２１には、録画日、録画開始時刻、録画終了時刻、チャンネル、画質、およびこの予約録画を行った登録者の登録名を対応付けた予約録画情報が、予約録画されている番組毎に記憶されている。この予約録画情報における録画日は、番組を録画する日を特定することができればよく、４月１１日等、特定の日を示すデータであってもよいし、日曜等、特定の曜日を示すデータであってもよい。また、録画日は毎週日曜や、毎日等とするデータであってもよい。開始時刻は番組の録画を開始する時刻、すなわち録画する番組の放送開始時刻、であり、終了時刻はこの番組の録画を終了する時刻、すなわち録画する番組の放送終了時刻である。チャンネルは、録画する番組が放送されるチャンネルである。画質は、ＤＶＤ１５に録画する番組の画質である。一般的な録画装置１では、画質をＸＰ、ＳＰ、ＬＰ、ＥＰの４段階で設定できる。ＸＰが最も高画質であり、ＳＰ、ＬＰ、ＥＰの順に画質が低下する。登録名は、この予約録画を行ったユーザの登録名である。この実施形態の録画装置１は、予め定められた件数、例えば１０件、の予約録画を受け付けることができる。言い換えれば、予め定められた件数の予約録画を受け付けているときには、新たな予約録画を受け付けることができない。
【００２７】
なお、制御部２は、今日の日付、曜日、現在時刻等を得るために、カレンダ機能、および時計機能を有している。このカレンダ機能や時計機能については公知であるので、ここでは説明を省略する。
【００２８】
次に、この発明の実施形態である録画装置１の動作について説明する。図４は、この発明の実施形態である録画装置の動作を示すフローチャートである。この実施形態の録画装置１は、装置本体の主電源がオンされるか、または予約録画テーブル２１に記憶しているいずれかの予約録画情報の録画開始日時になるのを待っている（ｓ１、ｓ２）。録画開始日時とは、予約録画情報における録画日の録画開始時刻である。録画装置１は、主電源がオンされると、ＯＳＤ画像生成部７において、今回主電源をオンしたユーザに対して登録名の入力を要求する登録名入力要求画像を生成する（ｓ３）。この登録名入力要求画像は、制御部２のメモリに記憶しているユーザ登録テーブル２０に登録されているユーザ名を一覧表示するＯＳＤ画像である。画像出力部８は、ＯＳＤ画像生成部７が生成した登録名入力要求画像の画像信号を表示器１６に入力する（ｓ４）。これにより、表示器１６が登録名入力要求画像を表示する。図５は、表示器において表示された登録名入力要求画像を示す図である。この登録名入力要求画像は、図５に示すように、ユーザ登録テーブル２０に登録されている各ユーザの登録名、およびユーザ登録テーブル２０への新規ユーザの登録、すでに登録されているユーザの削除にかかる登録／削除を選択項目として表示する画像である。各項目（登録名、登録／削除）には番号が付されている。録画装置１は、ｓ４で登録名入力要求画像の画像信号を出力すると、いずれかの登録名を選択する入力があるか、または新規ユーザの登録または登録ユーザの削除にかかる登録／削除を選択する入力があるのを待つ（ｓ５、ｓ６）。
【００２９】
今回録画装置１の主電源をオンしたユーザは、入力操作受付部１０、またはリモコン装置のテンキーを操作して、登録名の選択入力または、登録／削除処理の実行にかかる選択入力を行う。具体的には、ユーザは、自分の登録名に付されている番号のテンキーを操作することにより、自分の登録名を選択する入力を行う。また、ユーザ登録テーブル２０に未登録のユーザ（新規に登録名を登録したいユーザ）や、ユーザ登録テーブル２０に登録されている自分の登録名を削除したいユーザは、登録／削除に付されている番号のテンキー（図５の例では、０のテンキー）を操作することにより、登録／削除処理の実行にかかる選択入力を行う。
【００３０】
録画装置１は、登録名を選択する入力があると、装置本体をこれから使用するユーザを今回選択された登録名のユーザに確定する（ｓ７）。一方、録画装置１は、登録／削除を選択する入力があると、以下に示すｓ８〜ｓ１８にかかる登録／削除処理を実行する。
【００３１】
まず、録画装置１は、新規ユーザの登録を行うか、登録ユーザの削除を行うかの入力を待つ（ｓ８、ｓ９）。録画装置１は、新規ユーザの登録が入力されると、登録名およびパスワードの入力を受け付ける（ｓ１０）。ユーザは、入力操作受付部１０、またはリモコン装置に設けられている操作キーを操作して、登録名およびパスワードを入力する。ユーザは、登録名、およびパスワードを任意に決めることができる。また、録画装置１は、このとき、ＯＳＤ画像生成部７において、登録名、およびパスワードの入力にかかる操作案内画像のＯＳＤ画像を生成し、これを表示器１６に表示させ、ユーザの入力操作を援助する。録画装置１は、ｓ１０で登録名およびパスワードの入力を受け付けると、この登録名とパスワードとを対応付けたレコードをユーザ登録テーブル２０に登録する（ｓ１１）。また、録画装置１は、装置本体をこれから使用するユーザをｓ１０で入力された登録名のユーザに確定する（ｓ１２）。
【００３２】
また、録画装置１は、登録ユーザの削除の入力が行われると、削除する登録名の入力を受け付ける（ｓ１３）。ｓ１３では、この時点でユーザ登録テーブル２０に登録されている登録名の一覧を表示器１６に表示させ、ユーザに選択させる。録画装置１は、ｓ１３で削除する登録名を選択する入力を受け付けると、パスワードの入力を受け付け（ｓ１４）、さらに入力されたパスワードが適正であるかどうかを判定する（ｓ１５）。ｓ１５では、ユーザ登録テーブル２０に登録されている、ｓ１３で選択された登録名に対応付けられているパスワードと、ｓ１４で今回入力されたパスワードとが一致していれば適正であると判定し、不一致であれば適正でないと判定する。録画装置１は、ｓ１５で適正であると判定すると、ユーザ登録テーブル２０における該当するレコード（ｓ１３で選択された登録名のレコード）を削除し（ｓ１６）、主電源をオフして本処理を終了する（ｓ１７）。一方、録画装置１は、ｓ１５で適正でないと判定すると、パスワードの再入力を要求し（ｓ１８）、ｓ１４に戻る。このように、この実施形態の録画装置１は、ユーザ登録テーブル２０に登録されている登録名を削除するときには、その登録名に対応するパスワードの入力を要求する構成としているので、ユーザ登録テーブル２０に登録した登録名が他人に勝手に削除されるのを防止できる。
【００３３】
録画装置１は、ｓ７またはｓ１２でユーザを確定すると、装置本体に対する入力を待ち（ｓ１９）、入力があれば、その入力に該当する処理を実行する（ｓ２０）。録画装置１、ｓ１９、ｓ２０の処理を繰り返す。ｓ１９では予約録画情報の登録、ＤＶＤ１５に録画されている番組のタイトル一覧表示、ＤＶＤ１５に録画されている番組の再生、ＤＶＤ１５への番組の録画、登録されている予約録画情報の表示等の入力を受け付ける。また、録画装置１は、ｓ２で予約録画テーブル２１に記憶しているいずれかの予約録画情報の録画開始日時になったと判定すると、後述する予約録画処理を実行し（ｓ２１）、ｓ１に戻る。
【００３４】
なお、録画装置１は、主電源オフの入力があると、その時点で実行中の処理の停止処理を行い、その後、主電源をオフして本処理を終了する。また、この実施形態では、ｓ７でユーザを確定するときに、パスワードによる確認を行わない構成としているが、パスワードによる確認を行う構成としてもよい。
【００３５】
次に、この実施形態の録画装置１がｓ１９で予約録画情報の登録にかかる入力を受け付けたときに実行する、予約録画情報受付処理について説明する。録画装置１は、上述のｓ７またはｓ１２で装置本体を使用しているユーザの登録名を確定している。図６は、この実施形態の録画装置における予約録画情報受付処理を示すフローチャートである。録画装置１は、この時点で予約録画されている番組の件数が、予め定められている最大件数に達しているかどうかを判定する（ｓ３１）。録画装置１は、ｓ３１で最大件数に達していないと判定すると、予約録画情報の入力を受け付ける（ｓ３２）。ｓ３２では、従来の録画装置と同様に、録画日、録画開始時刻、録画終了時刻、チャンネル、および画質の各項目について、入力を受け付ける。録画装置１は、ｓ３２で入力を受け付けた項目に、ｓ７またはｓ１２で確定した登録名を追加した予約録画情報を作成する（ｓ３３）。録画装置１は、ｓ３３で作成した予約録画情報を予約録画テーブル２１に登録し（ｓ３４）、本処理を終了する。
【００３６】
また、録画装置１は、ｓ３１で最大件数に達していると判定すると、ＯＳＤ画像生成部７で予約録画テーブル２１に登録されている各予約録画情報の内容を示す予約録画一覧画像（ＯＳＤ画像）を生成し（ｓ３５）、この予約録画一覧画像を画像出力部８から出力し（ｓ３６）、本処理を終了する。表示器１６では、図７に示す予約録画一覧画像が表示される。予約録画一覧画像では、図７に示すように、予約録画テーブル２１に登録されている予約録画情報毎に、その予約録画情報を登録したユーザの登録名が示されている。したがって、今回予約録画情報を予約録画テーブル２１に登録しようとしたユーザは、この予約録画一覧画像を見ることで、予約録画テーブル２１に予約録画情報を登録しているユーザを確認することができる。これにより、予約録画テーブル２１に予約録画情報を登録しているユーザに対して、その予約録画を中止するように交渉することができる。
【００３７】
なお、録画装置１は、ｓ１９で、予約録画テーブル２１に登録されている予約録画情報の削除にかかる要求が入力されたときには、パスワードの入力を要求する。そして、入力されたパスワードが今回削除する予約録画情報を登録したユーザの登録名に対応付けられているパスワードと一致したときにのみ、この予約録画情報を予約録画テーブル２１から削除する。したがって、予約録画テーブル２１に登録されている他人の予約録画情報を、勝手に削除することはできない。
【００３８】
次に、この実施形態の録画装置１のｓ２１にかかる予約録画処理について説明する。図８は、予約録画処理を示すフローチャートである。録画装置１は、受信部３において、今回録画開始日時となった予約録画情報に含まれているチャンネルの受信処理を開始する（ｓ４１）。録画装置１は、受信部３で受信している番組をＤＶＤ１５に録画する録画処理を開始する（ｓ４２）。ｓ４２では、受信部３で受信している番組の画像および音声を、記録データ処理部４でＤＶＤ１５に記録する形式のデータに変換する。記録／読取部５が記録データ処理部４で変換されたデータに基づいてレーザ光をＤＶＤ１５に照射し、この番組をＤＶＤ１５に録画する。録画装置１は、予約録画情報に含まれている画質で番組をＤＶＤ１５に録画する。
【００３９】
録画装置１は、ｓ４２で番組の録画を開始すると、録画終了時刻になるのを待つ（ｓ４３）。このとき、録画装置１はＤＶＤ１５への番組の録画を継続している。録画装置１は、ｓ４３で録画終了時刻になったと判定すると、ＤＶＤ１５への番組の録画を停止するとともに（ｓ４４）、受信部３におけるチャンネルの受信を停止する（ｓ４５）。録画装置１は、今回録画した番組のタイトルを作成する（ｓ４６）。ｓ４６では、今回録画した番組について予約録画を行ったユーザの登録名を含むタイトルを作成する。例えば、今回録画した番組にかかる予約録画情報から抽出した、登録名、録画日、録画開始時刻、録画終了時刻、チャンネル、画質をこの順に並べ、これを録画した番組のタイトルとして作成する。録画装置１は、ｓ４６で作成したタイトルをＤＶＤ１５のリードイン領域のＴＯＣに記録する（ｓ４７）。そして、録画装置１は、今回番組を録画した予約録画情報を削除するかどうかを判定する（ｓ４８）。ｓ４８では、予約録画情報に含まれている録画日が、毎週○曜や、毎日であれば削除しないと判定し、○月○日や、○曜であれば削除すると判定する。録画装置１は、ｓ４８で削除すると判定すると、予約録画テーブル２１に登録されている該当する予約録画情報（今回録画した番組にかかる予約録画情報）を削除し（ｓ４９）、本処理を終了する。一方、ｓ４８で削除しないと判定すると、ｓ４９にかかる処理を行うことなく、本処理を終了する。
【００４０】
このように、この実施形態の録画装置１は、予約録画テーブル２１に登録されている予約録画情報に基づいて番組をＤＶＤ１５に録画したとき、録画した番組について、この番組を予約録画したユーザの登録名を含むタイトルを作成し、このタイトルをＤＶＤ１５のリードイン領域のＴＯＣに記録する。また、録画装置１は、予約録画でなく、録画キーの入力操作により番組をＤＶＤ１５に録画したときには、上述したｓ７、またはｓ１２で確定した登録名を含むタイトルを作成し、このタイトルをＤＶＤ１５に記録する。したがって、ＤＶＤ１５に録画されている各番組のタイトルには、その番組を録画したユーザの登録名が含まれることになる。
【００４１】
次に、この実施形態の録画装置１がｓ１９でＤＶＤ１５に録画されている番組のタイトル一覧表示にかかる入力を受け付けたときに実行する、タイトル一覧表示処理について説明する。図９は、この発明の実施形態である録画装置におけるタイトル一覧表示処理を示すフローチャートである。録画装置１は、ＤＶＤ１５のリードイン領域のＴＯＣに記録されている、各番組のタイトルを読み出す（ｓ５１）。録画装置１は、ＯＳＤ画像生成部７でｓ５１で読み出した各タイトルを一覧で表示させるタイトル一覧画像（ＯＳＤ画像）を生成し（ｓ５２）、このタイトル一覧画像を画像出力部８から出力する（ｓ５３）。図１０は、表示器１６におけるタイトル一覧画像の表示例を示す図である。上述したように、この実施形態の録画装置１は、ＤＶＤ１５に記録した番組のタイトルに、この番組を録画したユーザの登録名を含ませている。したがって、ユーザは、表示器１６に表示されたタイトル一覧画像を見ることで、ＤＶＤ１５に記録されている番組毎に、その番組を録画したのが誰であるか簡単に確認することができる。これにより、ＤＶＤ１５に録画されている番組の管理にかかるユーザの手間を低減することができ、ユーザの使い勝手を向上させられる。
【００４２】
なお、上記実施形態では、番組をＤＶＤ１５に録画する録画装置１を例にして本願発明を説明したが、ハードディスク等のＤＶＤ以外の記録媒体に録画する録画装置にも本願発明を適用することができる。ハードディスクに番組を録画する場合には、その番組のタイトルをヘッダに記録する。
【００４３】
また、ここでは、ＤＶＤ１５に記録されている番組の再生にかかる再生処理については、公知の装置と同様であるので、ここでは説明を省略した。
【図面の簡単な説明】
【００４４】
【図１】この発明の実施形態である録画装置の主要部の構成を示すブロック図である。
【図２】この発明の実施形態である録画装置が記憶するユーザ登録テーブルを示す図である。
【図３】この発明の実施形態である録画装置が記憶する予約録画テーブルを示す図である。
【図４】この発明の実施形態である録画装置の動作を示すフローチャートである。
【図５】表示器における登録名入力要求画像の表示例を示す図である。
【図６】この発明の実施形態である録画装置における予約録画情報受付処理を示すフローチャートである。
【図７】表示器における予約録画一覧画像の表示例を示す図である。
【図８】この発明の実施形態である録画装置における予約録画処理を示すフローチャートである。
【図９】この発明の実施形態である録画装置におけるタイトル一覧表示処理を示すフローチャートである。
【図１０】表示器におけるタイトル一覧画像の表示例を示す図である。
【符号の説明】
【００４５】
１−録画装置
２−制御部
３−受信部
４−記録データ処理部
５−記録／読取部
６−読取データ処理部
７−ＯＳＤ画像生成部
８−画像出力部
９−音声出力部
１０−入力操作受付部
１５−ＤＶＤ
２０−ユーザ登録テーブル
２１−予約録画テーブル
【図１】
2007020075.tif 000003
【図２】
2007020075.tif 000004
【図３】
2007020075.tif 000005
【図４】
2007020075.tif 000006
【図５】
2007020075.tif 000007
【図６】
2007020075.tif 000008
【図７】
2007020075.tif 000009
【図８】
2007020075.tif 000010
【図９】
2007020075.tif 000011
【図１０】
2007020075.tif 000012